(57)【要約】【課題】デジタル電話ライン（ＤＰＴ）及びアナログ電話ライン（ＳＬＴ）による音声通信と超高速デジタル加入者線（ＶＤＳＬ）によるデータ通信との同時接続を可能とした超高速デジタル加入者線装置の提供。【解決手段】ＰＢＸ５１に接続するセンタ側ＶＤＳＬ装置３１及び宅内側ＶＤＳＬ装置４１において、４芯モジュラーケーブル５５の外側２線を内線用デジタル電話ラインに接続し、内側２線をアナログ電話ラインに接続し、ＶＤＳＬの信号は内側２線のアナログ電話ラインで重畳し、外側２線のデジタル電話側ラインにはＶＤＳＬへのデジタル電話の信号のキャリア漏洩の影響をなくすためのローパスフィルタを配置する。【選択図】　図１
2004140689.tif 000002
【特許請求の範囲】
【請求項１】
４芯モジュラーケーブルを使用して内線用の独自方式デジタル電話とアナログ電話を同時接続可能な構内電話交換機システムに用いられる超高速デジタル加入者線装置において、
構内電話交換機側に接続するセンタ側超高速デジタル加入者線装置は、前記４芯モジュラーケーブルの外側２線を内線用のデジタル電話ラインに接続し、前記４芯モジュラーケーブルの内側２線をアナログ電話ラインに接続し、超高速デジタル加入者線の信号は前記内側２線のアナログ電話ラインで重畳し、前記外側２線のデジタル電話ラインに超高速デジタル加入者線へのデジタル電話ライン信号のキャリア漏洩の影響をなくすためのローパスフィルタを配置したものであり、
宅内側超高速デジタル加入者線装置は、前記４芯モジュラーケーブルの外側２線を内線用のデジタル電話ラインに接続し、前記４芯モジュラーケーブルの内側２線をアナログ電話ラインに接続し、超高速デジタル加入者線の信号は前記内側２線のアナログ電話ラインで重畳し、前記外側２線のデジタル電話ラインには超高速デジタル加入者線へのデジタル電話ライン信号のキャリア漏洩の影響をなくすためのローパスフィルタを配置したものである、
ことを特徴とする超高速デジタル加入者線装置。
【請求項２】
前記センタ側超高速デジタル加入者線装置は、前記構内電話交換機の内線側インターフェースカードとして前記構内電話交換機に組み込んだものであることを特徴とする請求項１記載の超高速デジタル加入者線装置。
【発明の詳細な説明】
【０００１】
【発明の属する技術分野】
本発明は、デジタル電話ライン（以下、「ＤＰＴ」と称す。）及びアナログ電話ライン（以下、「ＳＬＴ」と称す。）の音声通話を行うＰＢＸ（Ｐｒｉｖａｔｅ　Ｂｒａｎｃｈ　Ｅｘｃｈａｎｇｅ；構内電話交換機）システムに用いられるＶＤＳＬ（Ｖｅｒｙ　ｈｉｇｈ　ｂｉｔ　ｒａｔｅ　Ｄｉｇｉｔａｌ　Ｓｕｂｓｃｒｉｂｅｒ　Ｌｉｎｅ；超高速デジタル加入者線）装置、より詳しくはＶＤＳＬによるデータ通信を４芯モジュラーケーブルを使用して同時使用可能とするＶＤＳＬ装置に関する。
【０００２】
【従来の技術】
ＶＤＳＬは、“超高速デジタル加入者線”という名前のとおり、ＡＤＳＬ（Ａｓｙｍｍｅｔｒｉｃ　Ｄｉｇｉｔａｌ　Ｓｕｂｓｃｒｉｂｅｒ　Ｌｉｎｅ；非対称デジタル加入者線）よりも高速な通信速度を実現することができ、通信速度は１０Ｍ〜５０Ｍｂｐｓ程度を実現することが可能である。
【０００３】
ＡＤＳＬでは、アナログ電話回線を使用するに際して０〜４ｋＨｚくらいまでを音声帯域として利用し、それよりも高い周波数帯域として１．１ＭＨｚまでの周波数帯域をデータ伝送帯域として利用する。これに対し、ＶＤＳＬは、ＩＳＤＮ（Ｉｎｔｅｇｒａｔｅｄ　Ｓｅｒｖｉｃｅｓ　Ｄｉｇｉｔａｌ　Ｎｅｔｗｏｒｋ；統合デジタル通信網）回線にも対応するため、０〜９００ＫＨｚくらいまでを音声帯域として利用し、それよりも高い周波数帯域として最高１２ＭＨｚ程度までの周波数帯域をデータ伝送帯域として利用することにより、高速なデジタル通信を可能にしている。変調方式としては、ＡＤＳＬと同様にＤＭＴ（Ｄｉｓｃｒｅｔｅ　Ｍｕｌｔｉ　Ｔｏｎｅ）方式や、ＱＡＭ（Ｑｕａｄｒａｔｕｒｅ　Ａｍｐｌｉｔｕｄｅ　Ｍｏｄｕｌａｔｉｏｎ）方式等の各方式がアプローチされている。
【０００４】
しかしながら、ＶＤＳＬは、データ伝送に利用する周波数帯域を上げたことによって伝送距離が制限されることから、その伝送距離は１．２ｋｍ程度までの短い距離で実用化されている。
【０００５】
さて、ＶＤＳＬ装置の具体的な説明であるが、図３は従来のＶＤＳＬ装置を用いた通信システムの一般的な構成を示すブロック図であり、接続する電話は一般のアナログ公衆回線対応もしくは公衆ＩＳＤＮ（ＩＮＳネット６４（商品名））回線対応のものである（例えば、非特許文献１を参照。）。
【０００６】
図３において、センタ側ＶＤＳＬ装置１０１は、ＶＤＳＬモデム部１０２、ＶＤＳＬ信号用のパスフィルタ１０３、電話回線用のローパスフィルタ（スプリッタ）１０４、ネットワークインターフェース＆コントロール部１０５により構成される。ネットワークインターフェース＆コントロール部１０５は、ネットワーク接続部１０６とＮポートＬＡＮ（Ｌｏｃａｌ　Ａｒｅａ　Ｎｅｔｗｏｒｋ）スイッチブロック（Ｎ：ポート数）１０７により構成される。なお、１１０はセンタ側ＶＤＳＬ装置１０１に接続されるインターネット、１１１はセンタ側ＶＤＳＬ装置１０１に接続される電話回線である。
【０００７】
宅内側ＶＤＳＬ装置１１２は、ＶＤＳＬモデム部１１３、ＶＤＳＬ信号用のパスフィルタ１１４、電話器用のローパスフィルタ（スプリッタ）１１５、宅内ネットワークインターフェース部１１６により構成される。なお、１１７はＰＣ、１１８は電話器である。
【０００８】
図３の動作について説明すると、電話回線１１１やインターネット１１０と接続されたセンタ側ＶＤＳＬ装置１０１と各宅内の宅内側ＶＤＳＬ装置１１２との間での接続を行う場合、電話回線１１１の音声信号は、スプリッタ４によって音声帯域のみが通過され、ＶＤＳＬデータは阻止される。また、インターネット１１０は、ネットワークインターフェース＆コントロール部１０５内のネットワーク接続部１０６によってパケット処理が行われ、ＮポートＬＡＮスイッチブロック１０７によってＮポート中の指定されたポートへスイッチングされ、ＶＤＳＬモデム部１０２によってＶＤＳＬフォーマットに基づき変復調され、ＶＤＳＬ信号用のパスフィルタ１０３を介して、前述のスプリッタ１０４からの音声信号とともに各宅内の宅内側ＶＤＳＬ装置１１２へ伝送される。宅内側ＶＤＳＬ装置１１２では、ＶＤＳＬ信号用のパスフィルタ１１４によってＶＤＳＬ信号のみが通過され、ＶＤＳＬモデム１１３で変復調が行われ、宅内ネットワークインターフェース部１１６によってパケット信号へ変換され、イーサネット（Ｒ）等を介してＰＣ１１７と接続される。一方、音声信号は、電話器用のスプリッタ１１５で音声帯域のみが通過されることにより、電話器１８と接続されることになる。
【０００９】
次に、ＶＤＳＬ通信をＰＢＸを介して行う場合について説明する。前述の構成において、ＶＤＳＬの周波数アロケーションは、公衆ＩＳＤＮ回線の対応も考慮して９００ＫＨｚまでを音声帯域としているが、ＰＢＸで使用する内線用デジタル電話ライン（ＤＰＴ）の場合は公衆ＩＳＤＮ回線とは異なる。
【００１０】
このＤＰＴの伝送フレームフォーマットやタイミングについて図４を参照して説明する。
【００１１】
図４のように、ＤＰＴ伝送方式は、ピンポン伝送方式（送信と受信の動作を交互に行う）により二つのＢチャネル（情報チャネル）と一つのＤチャネル（信号チャネル）の伝送をおこなう。この伝送スピードは独自のもので、ピンポン伝送方式の代表であるＩＳＤＮ（ＩＮＳネット６４）とは異なり、１ビット時間５１２ＫＨｚのクロックで伝送される。次に、伝送フレームフォーマットやタイミングであるが、Ｄチャネルの有効データやＢ１チャネルの有効データ、Ｂ２チャネルの有効データが、図４に示すように与えられ、５１２ＫＨｚのクロックの“Ｌ”、“Ｈ”のタイミングで受信データ、送信データが確定され、それぞれ伝送されることになる。そして、この５１２ＫＨｚのキャリア周波数は常時出力されており、図５のＤＰＴキャリア波形に示すように高帯域までそのキャリア周波数の高調波が出力されている。
【００１２】
ＰＢＸでは、前述のＤＰＴとアナログ電話ライン（ＳＬＴ）とを内線側において、同一ポート（ハイブリッドポート）を使用して、４芯モジュラーケーブルにより同時使用することに対応している。この４芯モジュラーケーブル内の信号割り当ては、図６に示す通りである。
【００１３】
図６に示すように、４芯モジュラーケーブルの外側２線はＤＰＴ用に使用し、内側２線はＳＬＴ用に使用している。なお、ＳＬＴ側の占有帯域はアナログ電話回線と同様、０〜４ＫＨｚ程度である。
【００１４】
【非特許文献１】
１１のエレクトリカル・リクワイアメント（Ｅｌｅｃｔｒｉｃａｌ　Ｒｅｑｕｉｒｅｍｅｎｔ）のサービス・スプリッターズ（Ｓｅｒｖｉｃｅ　Ｓｐｌｉｔｔｅｒｓ）の項のＧ．９９３．１−ストラクチャ・オブ・ザ・ヴイディーエスエル・スプリッタ・フィルタ（Ｓｔｒｕｃｔｕｒｅ　ｏｆ　ｔｈｅ　ＶＤＳＬ　ｓｐｌｉｔｔｅｒ　ｆｉｌｔｅｒ），２００１年１１月，国際電気通信連合の電気通信標準化部門として電気通信関連の標準（勧告）を定める国際機関（Ｉｎｔｅｒｎａｔｉｏｎａｌ　Ｔｅｌｅｃｏｍｍｕｎｉｃａｔｉｏｎ　Ｕｎｉｏｎ　−　Ｔｅｌｅｃｏｍｍｕｎｉｃａｔｉｏｎ　Ｓｔａｎｄａｒｄｉｚａｔｉｏｎ　Ｓｅｃｔｏｒ）
【特許文献１】
特開２００１−１６８９４５号公報
【００１５】
【発明が解決しようとする課題】
このように、４芯のモジュラーケーブルの外側２線をＤＰＴに、内側２線をＳＬＴにそれぞれ接続して音声通話を行うＰＢＸシステムにおいて、ＶＤＳＬ通信を行う場合、図５に示すＤＰＴとピンポン方式のＩＳＤＮのキャリアの高調波の実測波形から明らかなように、ＤＰＴの方が高域まで出力していることから、ＤＰＴのキャリア周波数の高調波のクロストークがＶＤＳＬの帯域に影響を与えてしまう。これによって、ＶＤＳＬ通信ができない（リンクが確立しない）という不具合を生じることから、企業内等の専用線（内線）においてＶＤＳＬという高速データ通信と電話との共存ができないという問題がある。
【００１６】
そこで、本発明においては、デジタル電話ライン（ＤＰＴ）及びアナログ電話ライン（ＳＬＴ）による音声通信と超高速デジタル加入者線（ＶＤＳＬ）によるデータ通信との同時接続を可能とした超高速デジタル加入者線装置を提供することを目的とする。
【００１７】
【課題を解決するための手段】
上記課題を解決するために、本発明のＶＤＳＬ装置は、ＶＤＳＬの信号は４芯モジュラーケーブルの内側２線のＳＬＴで重畳し、併せて外側２線のデジタル電話ラインにはキャリア漏洩の影響をなくすためのローパスフィルタを配置したものである。
【００１８】
本発明によれば、デジタル電話ラインのキャリアの高調波の漏洩の影響によるＶＤＳＬの接続ができないという問題をなくし、デジタル電話ライン及びアナログ電話ラインによる音声通信とＶＤＳＬによるデータ通信の同時接続を基本的な構成で実現することが可能となる。
【００１９】
【発明の実施の形態】
請求項１に記載の発明は、４芯モジュラーケーブルを使用して内線用のデジタル電話とアナログ電話を同時接続可能な構内電話交換機システムに用いられるＶＤＳＬ装置において、構内電話交換機側に接続するセンタ側ＶＤＳＬ装置は、前記４芯のモジュラーケーブルの外側２線を内線用のデジタル電話ラインに接続し、前記４芯モジュラーケーブルの内側２線をアナログ電話ラインに接続し、ＶＤＳＬの信号は前記内側２線のアナログ電話ラインで重畳し、前記外側２線のデジタル電話ラインにＶＤＳＬへのデジタル電話ライン信号のキャリア漏洩の影響をなくすためのローパスフィルタを配置したものであり、宅内側ＶＤＳＬ装置は、前記４芯モジュラーケーブルの外側２線を内線用のデジタル電話ラインに接続し、前記４芯のモジュラーケーブルの内側２線をアナログ電話ラインに接続し、ＶＤＳＬの信号は前記内側２線のアナログ電話ラインで重畳し、前記外側２線のデジタル電話ラインにはＶＤＳＬへのデジタル電話ライン信号のキャリア漏洩の影響をなくすためのローパスフィルタを配置したものであることを特徴とするＶＤＳＬ装置であり、４芯モジュラーケーブル使用時にデジタル電話ライン及びアナログ電話ラインによる音声通話とＶＤＳＬによるデータ通信とを同時に行うことができるという作用を有する。
【００２０】
請求項２に記載の発明は、前記センタ側ＶＤＳＬ装置は、前記構内電話交換機の内線側インターフェースカードとして前記構内電話交換機に組み込んだものであることを特徴とする請求項１記載のＶＤＳＬ装置であり、センタ側ＶＤＳＬ装置を構内電話交換機へ組み込んで一体化することができるという作用を有する。
【００２１】
以下、本発明の実施の形態について、図面を参照しながら説明する。
【００２２】
（実施の形態１）
図１は本発明の実施の形態１におけるＶＤＳＬ装置を用いたＰＢＸシステムの構成を示すブロック図である。
【００２３】
図１において、本発明の実施の形態１におけるＶＤＳＬ装置は、ＰＢＸ５１に接続するセンタ側ＶＤＳＬ装置３１及び宅内側ＶＤＳＬ装置４１により構成される。ＰＢＸ５１は、ＤＰＴ及びＳＬＴのトランクを収容している。
【００２４】
センタ側ＶＤＳＬ装置３１は、センタ側のＶＤＳＬモデム部３２、ＶＤＳＬ信号用のパスフィルタ３３、ＳＬＴトランク接続用のローパスフィルタ（スプリッタ）３４、ネットワークインターフェース＆コントロール部３５、ＤＰＴトランク接続用のローパスフィルタ３８、ＰＢＸ接続用の４芯モジュラーポート３９、及び、内線側４芯モジュラーポート４０により構成される。ネットワークインターフェース＆コントロール部３５は、ネットワーク接続部３６とＮポートＬＡＮスイッチブロック（Ｎ：ポート数）３７により構成される。なお、１１は電話回線、１０はインターネットである。
【００２５】
一方、宅内側ＶＤＳＬ装置４１は、宅内側のＶＤＳＬモデム部４２、ＶＤＳＬ信号用のパスフィルタ４３、ＳＬＴ電話器接続用のローパスフィルタ（スプリッタ）４４、宅内ネットワークインターフェース部４５、ＤＰＴ電話器接続用のローパスフィルタ４６、内線側４芯モジュラーポート４７で構成される。なお、５２は宅内側ＤＰＴ電話器、５３はＳＬＴ電話器、５４はパーソナルコンピュータ（ＰＣ）である。５５はセンタ側ＶＤＳＬ装置３１と宅内側のＶＤＳＬ装置４１との間を接続するための内線用電話線（４芯モジュラーケーブル）である。
【００２６】
なお、センタ側ＶＤＳＬ装置３１においては、４芯モジュラーケーブル５５の外側２線を内線用のデジタル電話ラインに接続し、前記４芯モジュラーケーブルの内側２線をアナログ電話ラインに接続している。また、宅内側のＶＤＳＬ装置４１においては、４芯モジュラーケーブル５５の外側２線を内線用のデジタル電話ラインに接続し、前記４芯モジュラーケーブルの内側２線をアナログ電話ラインに接続している。
【００２７】
次に、本発明の実施の形態１におけるＶＤＳＬ装置の動作について説明する。
【００２８】
ＰＢＸ５１やインターネット１０と接続されたセンタ側ＶＤＳＬ装置３１と各宅内の宅内側ＶＤＳＬ装置４１との間での接続を行う場合、ＰＢＸ５１のＳＬＴトランクの音声信号は、スプリッタ３４によって音声帯域のみが通過され、ＶＤＳＬデータは阻止される。また、インターネット１０は、ネットワークインターフェース＆コントロール部３５内のネットワーク接続部３６によってパケット処理が行われ、ＮポートＬＡＮスイッチブロック３７によってＮポート中の指定されたポートへスイッチングされ、ＶＤＳＬモデム部３２によってＶＤＳＬフォーマットに基づき変復調され、ＶＤＳＬ信号用のパスフィルタ３３を介して、前述のスプリッタ３４からのＳＬＴ音声信号とともに内線側４芯モジュラーポート４０を経て各宅内の宅内側ＶＤＳＬ装置４１へ伝送される。一方、ＰＢＸ５１のＤＰＴトランクからのデジタルフォーマット化されたＤＰＴ信号は、ローパスフィルタ３８を通過することによってキャリアの高調波成分が減衰され、４芯モジュラーポート４０より各宅内側ＶＤＳＬ装置４１へピンポン方式にて伝送される。
【００２９】
宅内側ＶＤＳＬ装置４１では、ＶＤＳＬ信号用のパスフィルタ４３によってＶＤＳＬ信号のみが通過され、ＶＤＳＬモデム部４２によって変復調され、宅内ネットワークインターフェース部４５によってパケット信号へ変換され、イーサネット（Ｒ）１２等を介してＰＣ５４とデータ通信が行われる。一方、ＳＬＴの音声信号は、ＳＬＴ電話器接続用のローパスフィルタ４４で音声帯域のみが通過されることにより、ＳＬＴ電話器５３と接続されることになる。ＤＰＴ信号は、ＤＰＴ電話器接続用のローパスフィルタ４６を通過することによってキャリアの高調波成分が減衰され、ＤＰＴ電話器５２にてデジタルフォーマットから音声への変復調が行われることにより音声通話が行われる。
【００３０】
なお、センタ側ＶＤＳＬ装置３１は、ＮポートＬＡＮスイッチブロック３７に接続されるＮ個のＶＤＳＬモデム部３２で構成され、Ｎ個のトランク回線が接続されることは言うまでもない。
【００３１】
従来のように、ＶＤＳＬ信号をＤＰＴに重畳するとＤＰＴのキャリアの高調波の影響でＶＤＳＬの通信が不可能となるが、本実施の形態ではＶＤＳＬ信号をＳＬＴへ重畳しているため、このＤＰＴのキャリアの高調波の影響を受けることなくＶＤＳＬの通信を行うことが可能である。また、従来の構成ではＤＰＴからのクロストークがＶＤＳＬ通信に割当てたラインに影響を及ぼしＶＤＳＬ通信のリンクが確立しないという状況となるが、本実施の形態では、ＤＰＴにローパスフィルタ３８，４６を配置してＶＤＳＬラインへの影響をなくす構成を取っているため、ＶＤＳＬ通信が確実にリンクできるようになる。
【００３２】
（実施の形態２）
図２は本発明の実施の形態２におけるＶＤＳＬ装置を用いたＰＢＸシステムの構成を示すブロック図である。なお、図２において、図１と同一の機能を有するものについては、同一符号を付してその詳細な説明を省略する。
【００３３】
図２において、ＰＢＸ５６はＰＢＸ内線用ＶＤＳＬカード５７およびＰＢＸ内線用カード５８を含む。
【００３４】
すなわち、本発明の実施の形態２は、実施の形態１で示したＰＢＸ５１へ接続するセンタ側ＶＤＳＬ装置３１を、ＰＢＸ内線用ＶＤＳＬカード５７としてＰＢＸ５６へ一体化した形態である。
【００３５】
ここで、ＰＢＸ内線用ＶＤＳＬカード５７とＰＢＸ内線用カード５８はＰＢＸ５６内のコネクタで結線するか、ＰＢＸ内線用カード５８内の内線用ポートを一旦ＰＢＸ内線用ＶＤＳＬカード５７へ中継して結線するか、いずれかの方法で接続すればよい。
【００３６】
他の動作は実施の形態１と同じなので説明を省略する。
【００３７】
このように、本発明の実施の形態２におけるＶＤＳＬ装置は、ＰＢＸ内線インターフェースカードとしてＰＢＸに組み込むことにより、ＶＤＳＬ通信を可能とした企業向けＰＢＸである。
【００３８】
【発明の効果】
本発明のＶＤＳＬ装置によれば、ＶＤＳＬの信号は４芯モジュラーケーブルの内側２線のＳＬＴで重畳し、併せて外側２線のデジタル電話ラインにはキャリア漏洩の影響をなくすためのローパスフィルタを配置したことにより、デジタル電話ラインのキャリアの高調波の漏洩の影響によるＶＤＳＬの接続ができないという問題をなくし、ＶＤＳＬ通信が確実にリンクできるようなる。これにより、デジタル電話ライン及びアナログ電話ラインによる音声通信とＶＤＳＬによるデータ通信の同時接続を基本的な構成で実現することが可能となり、企業内等の専用線（内線）において、ＶＤＳＬの高速データ通信と電話の共存が可能となり、ユーザに対して有益な効果を提供することができる。
【図面の簡単な説明】
【図１】本発明の実施の形態１におけるＶＤＳＬ装置を用いたＰＢＸシステムの構成を示すブロック図
【図２】本発明の実施の形態２におけるＶＤＳＬ装置を用いたＰＢＸシステムの構成を示すブロック図
【図３】従来のＶＤＳＬ装置を用いた通信システムの一般的な構成を示すブロック図
【図４】ＤＰＴの伝送フレームフォーマットを示すタイミングチャート
【図５】ＤＰＴのキャリア波形、ピンポン方式ＩＳＤＮのキャリア波形及びＶＤＳＬの伝送波形を示す図
【図６】４芯モジュラーケーブルのデータ割り当てを示す図
【符号の説明】
１０　インターネット
１１　電話回線
１２　イーサネット（Ｒ）
３１　センタ側ＶＤＳＬ装置
３２　ＶＤＳＬモデム部
３３　ＶＤＳＬ信号用のパスフィルタ
３４　ＳＬＴトランク接続用のローパスフィルタ（スプリッタ）
３５　ネットワークインターフェース＆コントロール部
３６　ネットワーク接続部
３７　ＮポートＬＡＮスイッチブロック
３８　ＤＰＴトランク接続用のローパスフィルタ（スプリッタ）
３９　４芯モジュラーポート
４０　４芯モジュラーポート
４１　宅内側ＶＤＳＬ装置
４２　ＶＤＳＬモデム部
４３　ＶＤＳＬ信号用のパスフィルタ
４４　ＳＬＴ電話器接続用のローパスフィルタ（スプリッタ）
４５　宅内ネットワークインターフェース部
４６　ＤＰＴ電話器接続用のローパスフィルタ（スプリッタ）
４７　４芯モジュラーポート
５１　ＰＢＸ
５２　ＤＰＴ電話器
５３　ＳＬＴ電話器
５４　パーソナルコンピュータ（ＰＣ）
５５　４芯モジュラーケーブル
５６　ＰＢＸ
５７　ＰＢＸ内線用ＶＤＳＬカード
５８　ＰＢＸ内線用カード
【図１】
2004140689.tif 000003
【図２】
2004140689.tif 000004
【図３】
2004140689.tif 000005
【図４】
2004140689.tif 000006
【図５】
2004140689.tif 000007
【図６】
2004140689.tif 000008